(57)【要約】【課題】  ドアノブに被せた状態において脱落し難く、かつ、滑り止め部が破損し難いドアノブ用カバーを提供する。【解決手段】  丸編みされて形成された扁平な筒形状とされると共に、ゴム編みされることで、伸縮性を有している。丸編みされた生地を折り返して二重に形成されて、表側の生地１ａの端縁と裏側の生地１ｂの端縁同士が縫着されている。内側には、滑り止め部３が設けられており、滑り止め部３は、ラバープリントにより形成された多数の略半球状の突起部５により構成されている。外面には、蓄光インクにより図柄９が印刷されている。【選択図】  図１
0003178824.tif 000002
【実用新案登録請求の範囲】
【請求項１】
ドアノブに被せられるカバーであって、
筒状に形成されており、
内側に滑り止め部が設けられており、この滑り止め部は、ゴム質材からなる多数の突起部がラバープリントにより形成されてなる
ことを特徴とするドアノブ用カバー。
【請求項２】
丸編みされた生地が折り返されて二重に形成され、表側の生地の端縁と裏側の生地の端縁同士が縫着される
ことを特徴とする請求項１に記載のドアノブ用カバー。
【請求項３】
外面に蓄光材により文字、記号、または図柄が描かれている
ことを特徴とする請求項１または請求項２に記載のドアノブ用カバー。
【考案の詳細な説明】
【技術分野】
【０００１】
本考案は、ドアノブに被せられるカバーに関するものである。
【背景技術】
【０００２】
ドアノブには、装飾するためや、寒い時期に冷たいノブに触れないで済むように、カバーが被せられることがある。
また、特許文献１では、カバーの表面に蓄光発光部を設けることで、夜間でもドアノブの位置が把握できるよう構成されている。
【先行技術文献】
【特許文献】
【０００３】
【特許文献１】特開２００２−１７４０５７号公報
【考案の概要】
【考案が解決しようとする課題】
【０００４】
しかしながら、従来のカバーは、ドアノブを何度も操作するうちに、脱落するおそれがあった。なお、特許文献１では、滑り止め部材を設ける点は記載されているが、リング状に設けるものであるため、カバーを引っ張った際に、その箇所が割れたり、破損したりするおそれがある。
【０００５】
本考案が解決しようとする課題は、ドアノブから脱落し難く、かつ、滑り止め部が破損し難いドアノブ用カバーを提供することにある。
【課題を解決するための手段】
【０００６】
本考案は、前記課題を解決するためになされたもので、請求項１に記載の考案は、ドアノブに被せられるカバーであって、筒状に形成されており、内側に滑り止め部が設けられており、この滑り止め部は、ゴム質材からなる多数の突起部がラバープリントにより形成されてなることを特徴とするドアノブ用カバーである。
【０００７】
請求項２に記載の考案は、丸編みされた生地が折り返されて二重に形成され、表側の生地の端縁と裏側の生地の端縁同士が縫着されることを特徴とする請求項１に記載のドアノブ用カバーである。
【０００８】
さらに、請求項３に記載の考案は、外面に蓄光材により文字、記号、または図柄が描かれていることを特徴とする請求項１または請求項２に記載のドアノブ用カバーである。
【考案の効果】
【０００９】
本考案によれば、ドアノブに被せた状態において脱落し難く、かつ、滑り止め部が破損し難いドアノブ用カバーを提供できる。
【図面の簡単な説明】
【００１０】
【図１】本考案のドアノブ用カバーの一実施例を示す正面図である。
【図２】図１のＡ−Ａ断面図である。
【図３】図１のドアノブ用カバーをドアノブに取り付けようとしている図である。
【図４】本考案のドアノブ用カバーの別の実施例を示す斜視図である。
【考案を実施するための形態】
【００１１】
以下、本考案のドアノブ用カバーの一実施例について図面に基づいて具体的に説明する。
【００１２】
図１は、本考案のドアノブ用カバーの一実施例を示す正面図であり、一部を断面にして示している。
図２は、図１のＡ−Ａ断面図である。
図３は、本実施例のドアノブ用カバーをドアノブに取り付けようとしている図である。
【００１３】
本実施例のドアノブ用カバー１が適用されるドアノブＫは、レバー式とされる。
【００１４】
本実施例のドアノブ用カバー１は、毛糸を編んで形成された扁平な筒形状とされ、一端部が閉塞され、他端部が開口して形成されている。
【００１５】
具体的には、本実施例のドアノブ用カバー１は、ポリエステル繊維の毛糸とアクリル繊維の毛糸の２種類の毛糸により、丸編みされて筒状に形成されている。この丸編みされた筒状体は、一方の開口側端部から軸方向中央部まではポリエステル糸で形成され、該軸方向中央部から他方の開口側端部まではアクリル糸で形成されている。
また、ゴム編みされることで、伸縮性を有している。
さらに、本実施例では、丸編みされた生地を折り返して二重に形成されて、表側の生地１ａ（アクリル糸）の端縁と裏側の生地１ｂ（ポリエステル糸）の端縁同士が縫着されている。
【００１６】
ドアノブ用カバー１の内側には、滑り止め部３が設けられている。
本実施例では、滑り止め部３は、ラバープリントにより形成された多数の略半球状の突起部５により構成されている。突起部５は、ゴム質材により形成されており、摩擦力が高い。図示例では、ドアノブ用カバー１の略半周部に、多数の突起部５が形成されている。
【００１７】
突起部５を斑点模様状に設けたことで、ドアノブ用カバー１の伸縮性を阻害せず、かつ、ドアノブ用カバー１を引っ張った際に、突起部５が割れにくくなり、破損し難くなる。
【００１８】
さらに、ドアノブ用カバー１の外面には、蓄光インクにより文字、記号または図柄などがプリントされる。図示例では、図柄９が印刷されている。
【００１９】
このような構成の本実施例のドアノブ用カバー１は、その開口側端部からレバー型のドアノブＫを差し込み、ドアノブＫに被せられ装着される。
ドアノブ用カバー１の内側には、滑り止め部３が設けられていることで、カバー１を介してドアノブＫを把持し、ドアノブＫを回転させてもカバー１がずれることがない。
【００２０】
また、ドアノブ用カバー１の表面に、蓄光インクにより図柄９が描かれていることで、夜間でもドアノブＫの位置を把握し易く、操作がし易い。
【００２１】
本考案のドアノブ用カバーは、上記実施例の構成に限らず、適宜変更可能である。
【００２２】
たとえば、上記実施例では、多数の突起部５により構成される滑り止め部３を、カバー１の半周部に設けたが、全周に設けてもよいし、全周の三分の一や四分の一、または、径方向に対向する２カ所に設けてもよく、周方向の範囲は、適宜変更可能である。
また、上記実施例では、滑り止め部３をカバーの軸方向全域に設けたが、開口側端部または閉塞側端部や軸方向中央部に設けてもよく、さらには、閉塞側端部と開口側端部の両方に設けてもよく、軸方向の形成位置は、適宜変更可能である。
【００２３】
また、上記実施例では、丸編みされた生地を折り返して２重にしたが、１重としてもよい。
【００２４】
また、ドアノブ用カバー１を構成する繊維は、適宜変更可能である。たとえば、ナイロン繊維の毛糸を使用してもよく、各種合成繊維の毛糸および天然繊維の毛糸を使用することができる。
【００２５】
また、ドアノブ用カバー１の表面に蓄光インクにより描かれる図柄は、適宜変更可能であり、文字や記号などであってもよい。また、上記実施例では、蓄光インクにより図柄などをプリントする構成としたが、蓄光テープを表面に貼着して、夜間でもドアノブの位置を把握し易くしてもよいし、蓄光糸でカバーに文字などを縫い、夜間発光させるようにしてもよい。
【００２６】
さらに、上記実施例では、レバー式のドアノブに適用したが、図４に示すように、円形のドアノブＫにも適用可能である。この場合にも、カバー１の内側にラバープリントにより突起部を斑点模様状に設けることで、カバー１を介してドアノブＫを操作してもカバー１がずれることがない。また、カバーの表面に蓄光インクにより印刷を施すことで、夜間発光し、ドアノブの位置を把握しやすい。
【符号の説明】
【００２７】
１    ドアノブ用カバー
３    滑り止め部
５    突起部
【図１】
0003178824.tif 000003
【図２】
0003178824.tif 000004
【図３】
0003178824.tif 000005
【図４】
0003178824.tif 000006